(57)【要約】【課題】  現在流通しているＤＶＤ等のメディアを利用しつつ、当該メディアの再生時に広告情報を付加、再生する。【解決手段】  ＩＤカードＣには、ユーザＵがパッケージメディアＭの購入時に広告情報の再生を許容したメディアＭに対応するメディアＩＤが記録されている。メディア再生装置ＭＰ-ｋは、メディアＭの再生に際し、ＩＤカードＣからメディアＩＤを取得し、当該メディアＩＤに基づいて広告情報の再生の可否を判定して、許容されていると判定した場合に、パッケージメディアＭを再生しつつ、管理サーバＣＳから取得した広告情報を再生する。ただし、パッケージメディアＭの購入時にユーザＵが広告情報の挿入再生を許容した場合でも、当該再生時にユーザＵが広告情報の再生を禁止したい場合がある。そこで、再生に際して、ユーザＵの判断を仰ぎ、ユーザＵが広告情報の再生を禁止すると広告情報を再生することなく、パッケージメディアＭを再生する。【選択図】  図１
2005176240.tif 000002
【特許請求の範囲】
【請求項１】
第１記録媒体に記録されたコンテンツデータを再生する再生手段と、
前記第１記録媒体の識別情報である媒体識別情報を取得する識別情報取得手段と、
前記取得した媒体識別情報に基づいて、前記コンテンツデータの再生時に広告内容を示す広告情報の再生をユーザが許容しているか否かを示す再生許容情報を前記第１記録媒体と異なる第２記録媒体または外部装置の何れか一方から取得する再生許容情報取得手段と、
少なくとも前記再生許容情報に基づき、前記広告情報の再生の可否を判定する判定手段と、
前記広告情報を外部から取得する広告情報取得手段と、を具備し、
前記再生手段は、前記判定手段によって前記広告情報の再生が許容されているものと判定された場合に、前記コンテンツデータを再生しつつ、前記取得された広告情報を再生する
ことを特徴とするコンテンツデータ再生装置。
【請求項２】
前記広告情報取得手段により取得された前記広告情報を記録する広告情報記録手段を更に有し、
前記再生手段は、前記判定手段によって前記広告情報の再生が許容されているものと判定された場合に、前記コンテンツデータを再生しつつ、前記広告情報記録手段に記録されている前記広告情報を再生する
ことを特徴とする請求項１に記載のコンテンツデータ再生装置。
【請求項３】
前記判定手段によって前記広告情報の再生が許容されているものと判定された場合に、前記広告情報取得手段が前記広告情報を取得しつつ、前記再生手段が当該取得された広告情報を順次再生する
ことを特徴とする請求項１に記載のコンテンツデータ再生装置。
【請求項４】
前記判定手段は、前記再生許容情報と、当該コンテンツデータ再生装置に対してユーザが行った入力内容を示す内容情報と、に基づいて前記広告情報の再生の可否を判定する
ことを特徴とする請求項１に記載のコンテンツデータ再生装置。
【請求項５】
前記再生手段が前記コンテンツデータの再生時に再生すべき前記広告情報の再生時間を示す挿入時間情報を予め設定するための挿入時間情報設定手段を更に有し、
前記再生手段は、前記コンテンツデータを再生しつつ、前記広告情報を前記挿入時間情報により示される再生時間、再生する
ことを特徴とする請求項１に記載のコンテンツデータ再生装置。
【請求項６】
前記再生手段は、前記広告情報の再生中に当該コンテンツデータ再生装置に対してユーザが所定の入力を行った場合に、前記広告情報の再生を中止する
ことを特徴とする請求項１に記載のコンテンツデータ再生装置。
【請求項７】
前記再生手段は、前記コンテンツデータの再生中に、予め定められたタイミングにて前記広告情報を再生する
ことを特徴とする請求項１に記載のコンテンツデータ再生装置。
【請求項８】
前記再生手段は、前記所定のタイミングが到来した場合に、前記コンテンツデータの再生を中断し、ユーザが当該コンテンツデータ再生装置に対して所定の入力を行った場合に、前記広告情報を再生する
ことを特徴とする請求項７に記載のコンテンツデータ再生装置。
【請求項９】
前記再生手段によって前記広告情報が再生された場合に、金銭的価値に対応する金銭データを前記第２記録媒体または前記外部装置の何れか一方に書き込む書込手段と、
前記書込手段によって、書き込まれた金銭データを前記ネットワークに送信する送信手段と
を更に有することを特徴とする請求項１に記載のコンテンツデータ再生装置。
【請求項１０】
第１記録媒体に記録されたコンテンツデータを再生するコンテンツデータ再生装置に対し、広告内容を示す広告情報を配信する広告情報配信手段を有する、広告情報配信サーバと、
前記コンテンツデータを再生する再生手段と、
前記第１記録媒体の識別情報である媒体識別情報を取得する識別情報取得手段と、
前記取得した媒体識別情報に基づいて、前記コンテンツデータの再生時に前記広告情報の再生をユーザが許容しているか否かを示す再生許容情報を前記第１記録媒体と異なる第２記録媒体または外部装置の何れか一方から取得する再生許容情報取得手段と、
少なくとも前記再生許容情報に基づき、前記広告情報の再生の可否を判定する判定手段と、
少なくとも前記再生許容情報に基づき、前記広告情報の再生の可否を判定する判定手段と、
前記広告情報を外部から取得する広告情報取得手段と、を具備し、
前記再生手段は、前記判定手段によって前記広告情報の再生が許容されているものと判定された場合に、前記コンテンツデータを再生しつつ、前記取得された広告情報を再生する、コンテンツデータ再生装置と、
を具備することを特徴とする広告情報配信システム。
【請求項１１】
前記コンテンツデータ再生装置を収容するネットワークを更に有すると共に、
前記広告情報配信サーバは、
前記ネットワークの通信速度に応じて、前記コンテンツデータ再生装置に対して配信すべき前記広告情報のデータ量を変更するデータ量変更手段を更に有し、
前記広告情報配信サーバの前記広告情報配信手段は、前記データ量変更手段によってデータ量の変更された前記広告情報を前記コンテンツデータ再生装置に配信する
ことを特徴とする請求項１０に記載の広告情報配信システム。
【請求項１２】
前記コンテンツデータ再生装置は、
前記再生手段によって前記広告情報が再生された場合に、金銭的価値に対応する金銭データを前記第２記録媒体または前記外部装置の何れか一方に書き込む書込手段と、
前記書込手段によって、書き込まれた金銭データを前記広告情報配信サーバに送信する送信手段と、を更に有する
ことを特徴とする請求項１０に記載の広告情報配信システム。
【請求項１３】
前記コンテンツデータ再生装置のユーザが前記記録媒体を購入する際の決済を行う決済手段と、
前記外部装置に記録されている前記金銭データに基づいて決済金額を減算する減算手段と、
前記外部装置に記録されている前記金銭データから前記ユーザの使用した金額に応じた額を減じた前記金銭データを新たに前記外部装置に書き込む金銭データ書込手段と、を有する決済装置を更に有する
ことを特徴とする請求項１２に記載の広告情報配信システム。
【請求項１４】
第１記録媒体に記録されたコンテンツデータを再生するコンテンツデータ再生装置が前記第１記録媒体の識別情報である媒体識別情報を取得する第１ステップと、
前記コンテンツデータ再生装置が前記取得した媒体識別情報に基づいて、前記コンテンツデータの再生時に広告内容を示す広告情報の再生をユーザが許容しているか否かを示す再生許容情報を前記第１記録媒体と異なる第２記録媒体または外部装置の何れか一方から取得する第２ステップと、
前記コンテンツデータ再生装置が少なくとも前記再生許容情報に基づき、前記広告情報の再生の可否を判定する第３ステップと、
前記コンテンツデータ再生装置が前記広告情報を外部から取得する第４ステップと、
前記コンテンツデータ再生装置が前記第３ステップにて前記広告情報の再生が許容されているものと判定された場合に、前記コンテンツデータを再生しつつ、前記取得された広告情報を再生する第５ステップと
を具備することを特徴とする広告情報配信方法。
【請求項１５】
コンピュータによって、第１記録媒体に記録されたコンテンツデータを再生するためのコンテンツデータ再生プログラムであって、
前記コンピュータを、
前記第１記録媒体の識別情報である媒体識別情報を取得する識別情報取得手段、
前記取得した媒体識別情報に基づいて、前記コンテンツデータの再生時に広告内容を示す広告情報の再生をユーザが許容しているか否かを示す再生許容情報を前記第１記録媒体と異なる第２記録媒体または外部装置の何れか一方から取得する再生許容情報取得手段、
少なくとも前記再生許容情報に基づき、前記広告情報の再生の可否を判定する判定手段、
前記広告情報を外部から取得する広告情報取得手段、
前記コンテンツデータを再生すると共に、前記判定手段によって前記広告情報の再生が許容されているものと判定された場合には、前記コンテンツデータを再生しつつ、前記取得された広告情報を再生する再生手段
として機能させることを特徴とするコンテンツデータ再生プログラム。
【請求項１６】
請求項１５に記載のコンテンツデータ再生プログラムを記録した、コンピュータに読みとり可能な情報記録媒体。
【発明の詳細な説明】
【技術分野】
【０００１】
本発明は、コンテンツデータを記録再生するシステムに関し、特にコンテンツデータの再生中に広告情報を挿入する技術に関する。
【背景技術】
【０００２】
従来から、ＤＶＤ等のメディアに映画等のコンテンツデータを記録した、所謂、パッケージメディアが販売されている。この種のパッケージメディアにおいては、広告内容を示す広告情報がコンテンツデータと共に記録されており、メディアの再生時にコンテンツデータと共に再生されている。
【０００３】
かかる広告情報は、メディアの製造時にディスクに記録されるものであるため、製造後に広告情報を差し替えることはできず、メディアの製造から１年も経過すれば広告主が期待する宣伝広告効果が得られない。特に、この主のメディアがレンタルされている近年の経済状況下においては、メディアの製造後、１年程度経過した後に、メディアが再生される場合もあり、製造時に記録された広告情報が全く効果を奏さない場合も少なくない。
【０００４】
そこで、メディアの再生時に一定のタイミングで広告情報を付加することにより、逐次、広告情報を付加してパッケージメディアを再生する技術が提案されている（特許文献１）。
【特許文献１】特開２００３−８７７４７号公報
【発明の開示】
【発明が解決しようとする課題】
【０００５】
しかしながら、上述した特許文献１にかかる発明は、広告情報の再生を制御するための情報を予めメディアに記録しておき、当該情報に基づいて広告情報の付加、再生を行うものである。従って、専用メディアと当該メディアの再生装置が無ければ、同発明を実現することができず、実用化に大きな制約を受けることとなる。
【０００６】
また、同特許文献１にかかる発明においては、パッケージメディアを購入した時点で広告情報の付加頻度等が決定されてしまう。このため、同発明においては、一度パッケージメディアを購入してしまうと、事後的に広告情報を挿入したり、逆に、広告情報の再生を制限したりすることができず、ユーザの意図を反映して広告情報の付加、再生を行うことができない。
【０００７】
この発明は、以上説明した事情に鑑みてなされたものであり、現在流通しているＤＶＤ等のメディアを利用しつつ、当該メディアの再生時に広告情報を付加、再生することを可能とすると共に、メディアの再生時にユーザの意図を反映しつつ広告情報を付加、再生することを可能とするコンテンツデータ再生装置、広告情報配信システム、広告情報配信方法、コンテンツデータ再生プログラム及び情報記録媒体を提供することを目的とする。
【課題を解決するための手段】
【０００８】
上述した課題を解決するため、本願の一つの観点では、コンテンツデータ再生装置は、第１記録媒体に記録されたコンテンツデータを再生する再生手段と、前記第１記録媒体の識別情報である媒体識別情報を取得する識別情報取得手段と、前記取得した媒体識別情報に基づいて、前記コンテンツデータの再生時に広告内容を示す広告情報の再生をユーザが許容しているか否かを示す再生許容情報を前記第１記録媒体と異なる第２記録媒体または外部装置の何れか一方から取得する再生許容情報取得手段と、少なくとも前記再生許容情報に基づき、前記広告情報の再生の可否を判定する判定手段と、前記広告情報を外部から取得する広告情報取得手段と、を具備し、前記再生手段は、前記判定手段によって前記広告情報の再生が許容されているものと判定された場合に、前記コンテンツデータを再生しつつ、前記取得された広告情報を再生する。
【０００９】
また、本願の他の観点では、広告情報配信システムは、第１記録媒体に記録されたコンテンツデータを再生するコンテンツデータ再生装置に対し、広告内容を示す広告情報を配信する広告情報配信手段を有する、広告情報配信サーバと、前記コンテンツデータを再生する再生手段と、前記第１記録媒体の識別情報である媒体識別情報を取得する識別情報取得手段と、前記取得した媒体識別情報に基づいて、前記コンテンツデータの再生時に前記広告情報の再生をユーザが許容しているか否かを示す再生許容情報を前記第１記録媒体と異なる第２記録媒体または外部装置の何れか一方から取得する再生許容情報取得手段と、少なくとも前記再生許容情報に基づき、前記広告情報の再生の可否を判定する判定手段と、少なくとも前記再生許容情報に基づき、前記広告情報の再生の可否を判定する判定手段と、前記広告情報を外部から取得する広告情報取得手段と、を具備し、前記再生手段は、前記判定手段によって前記広告情報の再生が許容されているものと判定された場合に、前記コンテンツデータを再生しつつ、前記取得された広告情報を再生する、コンテンツデータ再生装置と、を具備する。
【００１０】
また更に、本願の他の観点では、広告情報配信方法は、第１記録媒体に記録されたコンテンツデータを再生するコンテンツデータ再生装置が前記第１記録媒体の識別情報である媒体識別情報を取得する第１ステップと、前記コンテンツデータ再生装置が前記取得した媒体識別情報に基づいて、前記コンテンツデータの再生時に広告内容を示す広告情報の再生をユーザが許容しているか否かを示す再生許容情報を前記第１記録媒体と異なる第２記録媒体または外部装置の何れか一方から取得する第２ステップと、前記コンテンツデータ再生装置が少なくとも前記再生許容情報に基づき、前記広告情報の再生の可否を判定する第３ステップと、前記コンテンツデータ再生装置が前記広告情報を外部から取得する第４ステップと、前記コンテンツデータ再生装置が前記第３ステップにて前記広告情報の再生が許容されているものと判定された場合に、前記コンテンツデータを再生しつつ、前記取得された広告情報を再生する第５ステップとを具備する。
【００１１】
更に、本願の他の観点では、コンテンツデータ再生プログラムは、コンピュータによって、第１記録媒体に記録されたコンテンツデータを再生するためのコンテンツデータ再生プログラムであって、前記コンピュータを、前記第１記録媒体の識別情報である媒体識別情報を取得する識別情報取得手段、前記取得した媒体識別情報に基づいて、前記コンテンツデータの再生時に広告内容を示す広告情報の再生をユーザが許容しているか否かを示す再生許容情報を前記第１記録媒体と異なる第２記録媒体または外部装置の何れか一方から取得する再生許容情報取得手段、少なくとも前記再生許容情報に基づき、前記広告情報の再生の可否を判定する判定手段、前記広告情報を外部から取得する広告情報取得手段、前記コンテンツデータを再生すると共に、前記判定手段によって前記広告情報の再生が許容されているものと判定された場合には、前記コンテンツデータを再生しつつ、前記取得された広告情報を再生する再生手段として機能させる。
【００１２】
更にまた、本願の他の観点では、情報記録媒体は、請求項１５に記載のコンテンツデータ再生プログラムを記録している。
【発明を実施するための最良の形態】
【００１３】
以下、図面を参照し、本願の実施の形態について説明する。なお、係る実施形態は、本願を限定するものではなく、本願の技術思想の範囲内において任意に変更可能である。
【００１４】
［１］第１実施形態
［１．１］第１実施形態の概要
まず、本願の広告情報配信システム１の具体的構成等について説明する前に、図１及び図２を参照しつつ、同広告情報配信システム１において実現される広告情報配信方法の概要を説明する。なお、図１は、本実施形態における広告情報配信システム１の構成を示す図であり、図２は、同システムにおいて実施される広告情報配信方法の概要を示す図である。また、図１においては、複数存在する販売店端末ＳＴ-ｌ（ｌ＝１、２、・・・、ｍ）と、メディア再生装置ＭＰ-ｋ（ｋ＝１、２、・・・、ｎ）の内、所定の販売店端末ＳＴ-ｌ及びメディア再生装置ＭＰ-ｋのみを示している。
【００１５】
本広告情報配信方法は、広告主を含む広告代理店Ａと、ＤＶＤ等のパッケージメディアＭの消費者、すなわちユーザＵと、パッケージメディアＭに記録されているコンテンツデータの著作権者Ｗと、メディアの販売店Ｓの四者間において、実現されるものである。また、図１との対応関係においては、図２の各主体は、夫々ユーザＵがメディア再生装置ＭＰ-ｋを保有し、販売店Ｓが販売店端末ＳＴ-ｌを保有し、広告代理店Ａが管理サーバＣＳを保有するものである。
【００１６】
本実施形態においては、まず、ユーザＵが事前に自己の情報を広告代理店Ａの保有する管理サーバＣＳに登録し（ステップＳ１）、ＩＤカードＣの配布を受けることが必要となる（ステップＳ２）。ここで、ＩＤカードＣは、広告代理店ＡがユーザＵに配布するカードであり、後述するように、当該ユーザＵを管理するための各種情報が記録されている（図３）。なお、ユーザＵの情報の登録方法及びＩＤカードＣの配布方法は任意である。例えば、ユーザＵがメディアを購入する際に、販売店端末ＳＴ-ｌを利用してユーザＵの個人情報を管理サーバＣＳに登録し、この際にＩＤカードＣの配布を受けるようにしても良い。
【００１７】
パッケージメディアＭを購入する場合、ユーザＵは、自己のＩＤカードＣを販売店Ｓにおいて店員に提示すると共に、当該パッケージメディアＭの再生時に広告情報の再生を所望する旨を告げ、当該パッケージメディアＭの登録を依頼する（ステップＳ３）。販売店Ｓの店員は、ユーザＵからの要求に応じ、販売店端末ＳＴ-ｌを利用してＩＤカードＣにユーザＵの購入したパッケージメディアＭに関する情報を記録すると共に、広告代理店Ａの保有する管理サーバＣＳに対して当該ユーザＵがパッケージメディアＭを購入した旨を登録する（ステップＳ４）。
【００１８】
購入したパッケージメディアＭを再生する場合、ユーザＵは、購入したパッケージメディアＭとＩＤカードＣの双方をメディア再生装置ＭＰ-ｋに挿入する。メディア再生装置ＭＰ-ｋは、再生対象となるパッケージメディアＭがＩＤカードＣに記録されている場合、すなわち、ユーザＵが当該パッケージメディアＭの購入時に広告情報の挿入再生を希望していた場合、広告情報を挿入しつつ、当該パッケージメディアＭを再生する。この際、メディア再生装置ＭＰ-ｋは、管理サーバＣＳから広告情報をダウンロードし、当該コンテンツデータの再生時に所定のタイミングにより広告情報を挿入して再生を行う（ステップＳ５）。
【００１９】
ただし、パッケージメディアＭの購入時にユーザＵが広告情報の再生を希望していた場合であっても、当該再生時にユーザＵが広告情報の再生を望むとは限らない。このため、本実施形態において、ユーザＵは、メディア再生装置ＭＰ-ｋに広告情報の再生を禁止させることができる。
【００２０】
次いで、メディア再生装置ＭＰ-ｋは、広告情報の挿入量、すなわち、広告情報の再生時間数に応じたポイントをＩＤカードＣに記録すると共に、当該ポイント数を管理サーバＣＳにアップロードする。
【００２１】
このポイントは、金銭的価値に相当しており、事後に、ユーザＵが、販売店ＳにおいてパッケージメディアＭを購入する場合、ＩＤカードＣを販売店Ｓに提示し、ポイント数に対応する金額の割引を受けることが可能となる（ステップＳ６）。
【００２２】
ここで、ユーザＵがポイントを利用してパッケージメディアＭを購入する場合、当該ポイントに対応する金額分だけ、販売店Ｓと著作権者Ｗに損失が発生することとなってしまう。そこで、広告代理店Ａは、広告主から徴収した広告料の一部からユーザＵの利用ポイント数に応じた金額を著作権者Ｗと販売店Ｓに支払う（ステップＳ７、Ｓ８）。
【００２３】
［１．２］第１実施形態の構成
（１）システムの全体構成
次に、上述した広告方法を実現する広告情報配信システム１のシステム構成について、図１を用いて本願の実施形態にかかる広告情報配信システム１の構成を説明する。
【００２４】
同図に示すように本実施形態にかかる広告情報配信システム１は、各ユーザＵの所有するメディア再生装置ＭＰ-ｋと、ＩＤカードＣと、管理サーバＣＳと、公衆デジタル網ＩＳＮと、販売店端末ＳＴ-ｌとを有する。
【００２５】
なお、例えば、本実施形態のメディア再生装置ＭＰ-ｋは、本願の「コンテンツデータ再生装置」を構成し、ＩＤカードＣは「第２記録媒体」を構成する。また、例えば、管理サーバＣＳは、「広告情報配信サーバ」を構成し、販売店端末ＳＴ-ｌは、「決済装置」を構成する。
【００２６】
まず、公衆デジタル網ＩＳＮは、ＩＳＤＮ（Integrated service digital network）やＦＴＴＨ（Fiber To The Home）網、インターネット等のネットワークであり、自網が収容しているメディア再生装置ＭＰ-ｋや販売店端末ＳＴ-ｌ、管理サーバＣＳに対してデータ通信サービスを提供する。なお、この公衆デジタル網ＩＳＮは、単一のネットワークでも良いし、例えば、ＦＴＴＨ網とインターネットが図示せぬアクセスポイントを介して接続されている構成であってもよい。
【００２７】
ＩＤカードＣは、例えば、ＩＳＯ／ＩＥＣ１０５３６に準拠した非接触式のＩＣチップを搭載しており、リーダ・ライタを用いることにより、各種データの書き込みが可能であると共に、チップ内に記録されているデータの読み出しが可能となっている。本実施形態において、このＩＤカードＣには、上述のように図３に示す情報が記録されている。
【００２８】
同図に示すように、ＩＤカードＣには、例えば、当該ＩＤカードＣの配布対象となったユーザＵのユーザＩＤと、氏名等のユーザ情報と、当該ユーザＵの登録日時と、各種データの最終更新日時が記録されている。これらのデータは、上述した図１のステップＳ１においてユーザＵを広告代理店Ａに登録する際に、ＩＤカードＣに記録されるデータである。なお、ユーザＩＤは登録時に各ユーザＵに割り振られる、他のユーザＵとの識別が可能な識別情報であり、本実施形態にかかる広告情報配信システム１においては、このユーザＩＤに基づいて各ユーザＵが判別される。
【００２９】
また、ＩＤカードＣには、メディアＩＤと、当該メディアＩＤに対応するコンテンツデータのタイトルと、広告情報の再生時間と、当該パッケージメディアＭの再生時に当該ユーザＵに付与されたポイント数等をカウントするためのカウンタと、が対応づけて記録され、更には、当該ユーザＵの取得ポイントの合計値等が記録されている。このメディアＩＤとは、市場に供給されているパッケージメディアＭを識別するための識別情報であり、パッケージメディアＭに記録されているコンテンツデータのタイトル毎に割り振られるものである。なお、このメディアＩＤは、本願の「再生許容情報」に対応している。
【００３０】
ここで、これらのデータは、パッケージメディアＭの購入時に販売店端末ＳＴ-ｌにより記録され、当該メディアＭの再生時にメディア再生装置ＭＰ-ｋにより更新されるものであるが、ＩＤカードＣに記録されるメディアＩＤは、購入時にユーザＵが広告情報の再生を許容したもののみである。従って、このＩＤカードＣに記録されているメディアＩＤを参照することにより、各ユーザＵがどのパッケージメディアＭの再生時に広告情報の挿入を許可しているのかを把握することが可能となる。
【００３１】
販売店端末ＳＴ-ｌは、販売店Ｓに設置されているＰＯＳ（Point Of Sales）端末等の通信端末であり、公衆デジタル網ＩＳＮを介して、管理サーバＣＳとデータ通信を行う。この販売店端末ＳＴ-ｌは、ＩＣチップのリーダ・ライタを有しており、ユーザＵに配布されているＩＤカードＣに対してデータの読み出し、書き込みを行う。
【００３２】
また、この販売店端末ＳＴ-ｌは、ネットワークインターフェイス（以下、「インターフェイス」を「Ｉ／Ｆ」と略称する。）を有しており、公衆デジタル網ＩＳＮを介して、管理サーバＣＳとデータ通信を行う。かかる機能を利用することにより、販売店端末ＳＴ-ｋは、ユーザＵがパッケージメディアＭを購入した際にＩＤカードＣに記録される、メディアＩＤ等のデータを管理サーバＣＳにアップロードしてＩＤカードＣと管理サーバＣＳ間でのデータの共有化を図る。
【００３３】
次いで、管理サーバＣＳは、メディア再生装置ＭＰ-ｋに広告情報を配信する。具体的には、この管理サーバＣＳは、メディア再生装置ＭＰ-ｋに配信すべき各種広告情報をデータベース化して保有しており、メディア再生装置ＭＰ-ｋからのリクエストメッセージに従って、当該メディア再生装置ＭＰ-ｋに広告情報を配信する。
【００３４】
メディア再生装置ＭＰ-ｋは、ＤＶＤレコーダ等の再生装置であり、再生対象となるパッケージメディアＭを再生して、当該メディアＭに記録されているコンテンツデータを処理する。また、このメディア再生装置ＭＰ-ｋには、ＩＣチップのリーダ・ライタを搭載しており、ＩＤカードＣに記録されているデータの読み出し・更新を行う。
【００３５】
更に、このメディア再生装置ＭＰ-ｋは、パッケージメディアＭに記録されているコンテンツデータの再生に際して、ＩＤカードＣから読み出したメディアＩＤ等の情報に基づいて、当該再生対象となっているパッケージメディアＭが広告情報の挿入再生を許容されたものであるのか否かの判定を行う。そして、かかる判定の結果、挿入再生が許容されたパッケージメディアＭであるものと判定した場合、メディア再生装置ＭＰ-ｋは、広告情報の再生に関するユーザＵの承認をとる。そして、ユーザＵが広告情報の再生を許容した場合、メディア再生装置ＭＰ-ｋは、管理サーバＣＳから広告情報をダウンロードして、当該コンテンツデータの再生時に当該広告情報を再生する。なお、このメディア再生装置ＭＰ-ｋの具体的な構成については、次述する。
【００３６】
（２）メディア再生装置ＭＰ-ｋの具体的構成
次に、図４を用いつつ、上述したメディア再生装置ＭＰ-ｋの具体的構成について説明する。図４に示すように本実施形態にかかるメディア再生装置ＭＰ-ｋはリーダ・ライタ１０１と、ネットワークインターフェイス部１０２（以下、「インターフェイス」を「Ｉ／Ｆ」と略称する）と、ユーザＩ／Ｆ部１０３と、メディアドライブ１０４と、広告情報記録部１０５と、システム制御部１０６と、スイッチ１０７と、デコーダ１０８と、各要素間を相互に接続するデータバス１０９とを有する。
【００３７】
なお、例えば、本実施形態のメディアドライブ１０４、システム制御部１０６、スイッチ１０７及びデコーダ１０８は本願の「再生手段」を構成し、メディアドライブ１０４は「識別情報取得手段」を構成し、リーダ・ライタ１０１は「再生許容情報取得手段」及び「書込手段」を構成する。また、本実施形態におけるシステム制御部１０６は本願の「判定手段」を構成し、ネットワークＩ／Ｆ部１０２は「広告情報取得手段」を構成し、広告情報記録１０５は「広告情報記録手段」を構成する。
【００３８】
リーダ・ライタ１０１は、ＩＤカードＣの挿入口を有しており、挿入されているＩＤカードＣに記録されているデータを読み出し、データバス１０９に出力する。また、リーダ・ライタ１０１は、挿入口に挿入されているＩＤカードＣに記録されているデータをデータバス１０９を介して入力された制御信号に従って更新する。
【００３９】
ネットワークＩ／Ｆ部１０２は、公衆デジタル網ＩＳＮとデータバス１０９との間のデータの授受を仲介し、公衆デジタル網ＩＳＮから受信したデータをデータバス１０９へと出力すると共に、データバス１０９を通じて入力されたデータを公衆デジタル網ＩＳＮへと送信する。
【００４０】
ユーザＩ／Ｆ部１０３は、図示しないキーボード等からなる操作部または外部リモコンを有しており、ユーザＵの入力操作に対応した入力信号をシステム制御部１０６に出力する。
【００４１】
メディアドライブ１０４は、例えば、ＤＶＤ等のパッケージメディアＭの記録、読み出し装置であり、データバス１０９を介して入力される制御信号に従って、パッケージメディアＭに記録されているデータを読み出して、スイッチ１０７の端子ａに供給する。
【００４２】
デコーダ１０８は、システム制御部１０６の制御の下、スイッチ１０７を介して入力されたコンテンツデータをデコードし、動画像信号および音声信号に変換して、モニタＭＮに出力する。この結果、モニタＭＮから、当該コンテンツデータに対応した動画像が表示されると共に音声が出力される。
【００４３】
スイッチ１０７は、ａ、ｂ、ｃの３つの端子を有しており、各端子は、夫々、端子ａがメディアドライブ１０４の出力側に、端子ｂが広告情報記録部１０５の出力側に、端子ｃがデコーダ１０８の入力側に夫々接続されている。また、このスイッチ１０７は、システム制御部１０６による制御の下、端子ａ、ｂ間において接続先を切り替え、端子ｃに入力される信号を切り替える。この結果、スイッチ１０７が端子ａに接続されている状態においてはメディアドライブ１０４からの出力データが、スイッチ１０７が端子ｂに接続されている状態においては広告情報記録部１０５からの出力データが、夫々デコーダ１０８に入力されることとなる。なお、このスイッチ１０７は、物理的なものであっても良いし、論理的なものであっても良い。
【００４４】
広告情報記録部１０５は、管理サーバＣＳからダウンロードされた広告情報が記録される。なお、この広告情報記録部１０５を如何なるハードウェアにより構成するかは、任意であり、例えば、ハードディスクにより構成しても良い。
【００４５】
システム制御部１０６は、例えば、図示せぬＣＰＵ（Central Processing Unit）、ＲＯＭ（Read Only Memory）、ＲＡＭ（Random Access Memory）、ＥＥＰＲＯＭ（Electrically Erasable Programmable Read Only Memory）を有し、メディア再生装置ＭＰ-ｋの各部を制御する。
【００４６】
このシステム制御部１０６は、パッケージメディアＭに記録されているコンテンツデータの再生に際して、リーダ・ライタ１０１に制御信号を出力する。一方、この制御信号が送られてくると、リーダ・ライタ１０１は、挿入口にＩＤカードＣが挿入されているか否かを検出し、当該検出結果に対応した信号をシステム制御部１０６に出力する。
【００４７】
システム制御部１０６は、ＩＤカードＣが検出された場合、再度、リーダ・ライタ１０１に制御信号を出力することによって、ＩＤカードＣに記録されているデータの読み出しを行わせる。この結果、ＩＤカードＣに記録されているデータが読み出されて、システム制御部１０６に供給される。かかる処理の結果に基づき、システム制御部１０６は、以下の２つの再生モードを選択して、当該モードに従った再生処理を実行する。
【００４８】
＜広告挿入再生モード＞
このモードは、パッケージメディアＭに記録されているコンテンツデータを再生する際に管理サーバＣＳから広告情報をダウンロードすると共に、当該広告情報をコンテンツデータの再生時に予め定められたタイミングにおいて挿入して再生するモードである。このモードに設定されるためには、
（ａ）リーダ・ライタ１０１にＩＤカードＣの挿入が検出されたこと、
（ｂ）再生対象となっているパッケージメディアＭのメディアＩＤ等のデータがＩＤカードＣに記録されていること、すなわち、再生対象となっているパッケージメディアＭの購入時にユーザＵが広告情報の挿入を許容して当該パッケージメディアＭに対応するメディアＩＤがＩＤカードＣに記録されていること、
が要件とされる。
【００４９】
また、上記要件が満たされている場合であっても、各回の再生時にユーザＵが広告情報の再生を制限したいと考える場合がある。そこで、システム制御部１０６は、上記要件が満たされる場合であっても、ユーザＵに対して広告情報の再生を制限するか否かの判断を仰ぎ、ユーザＵが広告情報の再生を制限しない旨をユーザＩ／Ｆ部１０３に入力した場合にのみ、再生モードを広告挿入再生モードに設定する。
【００５０】
このモードに設定された場合、システム制御部１０６は、まず、再生対象となっているパッケージメディアＭに対応するメディアＩＤを付加したリクエストメッセージを管理サーバＣＳに送信する。このメッセージに従って管理サーバＣＳから広告情報が送信されてくると、システム制御部１０６は、当該広告情報を広告情報記録部１０５に記録させる。このようにして、広告情報のダウンロードが終了すると、システム制御部１０６は、パッケージメディアＭの再生を開始すると共に、広告情報の再生タイミング（以下、「挿入点」という）にてメディアドライブ１０４と、広告情報記録部１０５と、スイッチ１０７に制御信号を出力する。この結果、メディアドライブ１０４においてパッケージメディアＭの再生がポーズ状態にされ、スイッチ１０７において接続先が端子ａから端子ｂへと切り替えられて、広告情報記録部１０５から出力された広告情報がデコーダ１０８へと入力されることとなる。
【００５１】
一方、広告情報の再生が完了すると、システム制御部１０６は、再度、メディアドライブ１０４と、広告情報記録部１０５と、スイッチ１０７に制御信号を出力する。この結果、メディアドライブ１０４においてポーズ状態が解除されると共に、スイッチ１０７の接続先が端子ｂから端子ａに切り替えられ、メディアドライブ１０４からの出力信号がデコーダ１０８に入力されることとなる。
【００５２】
なお、同モードによりコンテンツデータを再生する場合に、広告挿入点を如何にして決定するかは、任意である。例えば、コンテンツデータの再生時にユーザＵが広告挿入点を選択するようにしても良いし、パッケージメディアＭに記録されているコンテンツデータのチャプタを参照して当該チャプタを広告挿入点とするようにしても良い。
【００５３】
また、２００３年特許願３９０９７７号に記載のストーリー分類方法を利用することにより、コンテンツデータに対応するコンテンツの映像シーンの転換点となるべき部分を抽出して、当該部分に広告情報を挿入するようにしても良い。この場合、以下のような処理を実行することが必要となる。すなわち、パッケージメディアＭに記録されているコンテンツデータに登場人物等を示す付加情報を付加し、当該付加情報に基づいて、各フレームに登場する登場人物毎に登場確率を算出する。そして、当該登場確率に従って、各シーンにおける中心人物を決定し、当該中心人物の切り替わるシーンを上記転換点とするのである。なお、同技術については、先願において詳述していることから詳細は、省略する。
【００５４】
また更に、著作権者Ｗが上記ストーリー分析手法により予め広告挿入点を決定し、その決定した広告挿入点を管理サーバＣＳに登録しておき、パッケージメディアＭの再生時に、メディア再生装置ＭＰ-ｋが管理サーバＣＳにアクセスして広告挿入点を参照するようにしても良い。
【００５５】
また、この再生に際して、システム制御部１０６は、ＩＤカードＣに記録されているポイント数をカウントするためのカウンタを更新すると共に、この更新したポイント数等のデータを管理サーバＣＳにアップロードする。この結果、ユーザＵの獲得ポイント数等のデータがＩＤカードＣと管理サーバＣＳの間で共有されることとなる。一方、ユーザＵが獲得ポイントを利用してパッケージメディアＭを購入しようとする場合、ユーザＵは、上述のようにＩＤカードＣを販売店Ｓに提示することにより、当該ポイント数に対応する額の割引を受けることが可能となるのである。
【００５６】
＜通常再生モード＞
このモードは、パッケージメディアＭに記録されているコンテンツデータを再生する際に、管理サーバＣＳから広告情報をダウンロードして、挿入することなく、当該コンテンツデータを再生するものである。上記（ａ）、（ｂ）の要件が満たされていない場合、再生対象となっているパッケージメディアＭの再生時にユーザＵが広告情報の挿入を許容しているか否かを把握することができない。そこで、上記（ａ）、（ｂ）の要件の何れかが満たされていない場合、システム制御部１０６は、この通常再生モードによりコンテンツデータの再生を行う。
【００５７】
また、上述のようにパッケージメディアＭの再生時にユーザＵが広告情報の再生を制限したいと考える場合がある。そこで、システム制御部１０６は、ユーザＵに広告情報再生の可否を仰いだ結果、ユーザＵが広告情報の再生を制限する旨の入力操作を行った場合には、この通常再生モードにより、パッケージメディアＭを再生する。
【００５８】
（３）管理サーバＣＳの具体的構成
次に、図５を参照しつつ、本実施形態にかかる管理サーバＣＳの具体的構成について説明する。なお、同図は、本実施形態にかかる管理サーバＣＳの構成を示すブロック図である。同図に示すように本実施形態にかかる管理サーバＣＳは、システム制御部２１と、ネットワークＩ／Ｆ部２２と、テーブル記録部２３と、広告情報ＤＢ２４と、これらの各要素を相互に接続するデータバス２５と、を有している。
【００５９】
ネットワークＩ／Ｆ部２２は、公衆デジタル網ＩＳＮとデータバス２５との間のデータの授受を仲介し、公衆デジタル網ＩＳＮから受信したデータをデータバス２５へと出力すると共に、データバス２５を介して入力されたデータを公衆デジタル網ＩＳＮへと送信する。
【００６０】
広告情報ＤＢ２４には、メディア再生装置ＭＰ-ｋに配信される各種の広告情報が記録されている。この広告情報ＤＢ２４の記録内容の一例を図６に示す。同図に示すように本実施形態において、この広告情報ＤＢ２４には、各広告情報を一意に識別するための広告ＩＤと対応づけて、例えば、当該広告情報のタイトル名と、データサイズと、当該広告情報本体が格納されている。
【００６１】
システム制御部２１は、図示せぬＣＰＵ、ＲＯＭ、ＲＡＭ、ＥＥＰＲＯＭ等を有し、管理サーバＣＳの各部を制御する。このシステム制御部２１は、ユーザ管理部２１１と、広告情報配信部２１２とを有しており、各部は、それぞれ、以下のような機能を有している。
【００６２】
ａ）ユーザ管理部２１１
上述のように、ユーザＵがパッケージメディアＭを購入する場合、ユーザＵは当該パッケージメディアＭの再生時に広告情報の再生を許容するか否かを決定することができる。そして、ユーザＵが広告情報の挿入を許容した場合には、ＩＤカードＣに書き込まれた当該パッケージメディアＭに対応するメディアＩＤが販売店端末ＳＴ-ｌにより送信されて、管理サーバＣＳのネットワークＩ／Ｆ部２２によって受信される。
【００６３】
また、パッケージメディアＭの再生時に広告情報の再生が行われた場合、メディア再生装置ＭＰ-ｋによりＩＤカードＣに記録されている上記ポイントのカウンタがインクリメントされると共に、当該更新後のポイントが管理サーバＣＳへとアップロードされ、管理サーバＣＳのネットワークＩ／Ｆ部２２によって受信される。
【００６４】
更に、ユーザＵが広告情報の再生により獲得したポイントを利用してパッケージメディアＭを購入すると、ＩＤカードＣに記録されているポイント数が販売店端末ＳＴ-ｌによってディクレメントされると共に、管理サーバＣＳへと送信され、ネットワークＩ／Ｆ部２２によって受信される。
【００６５】
ユーザ管理部２１１は、このようにしてメディア再生装置ＭＰ-ｋ及び販売店端末ＳＴ-ｌから送信され、ネットワークＩ／Ｆ部２２によって受信されたデータを管理する。かかる機能を実現するために、本実施形態にかかるテーブル記録部２３には、ユーザ管理テーブルＴＢＬ１が記録されている。このユーザ管理テーブルＴＢＬ１の記録内容の一例を図７に示す。
【００６６】
同図に示すように本実施形態においてユーザ管理テーブルＴＢＬ１には、各ユーザＵに対応するユーザＩＤ毎に、当該ユーザＩＤに対応するユーザＵのユーザ名と、例えば住所等からなるユーザ情報と、当該ユーザＵの登録日が格納されている。これらの情報は、ユーザＵの登録時、すなわち、ＩＤカードＣの配布時に、ユーザ管理テーブルＴＢＬ１に格納されるものである。
【００６７】
また、ユーザ管理テーブルＴＢＬ１には、各ユーザＩＤと対応づけて、メディアＩＤと、当該パッケージメディアＭの利用履歴が格納されている。ここで、このメディアＩＤは、当該ユーザＵが広告情報の挿入を許容したパッケージメディアＭに対応するものであり、パッケージメディアＭの購入時に販売店端末ＳＴ-ｌから送信されてくるものである。従って、このメディアＩＤは、ＩＤカードＣに記録されているメディアＩＤと同一のものであり、このメディアＩＤを参照することにより、管理サーバＣＳのシステム制御部２１は、当該ユーザＵが広告情報の挿入を許容しているパッケージメディアＭを把握することが可能となる。なお、このメディアＩＤ等を格納するためのフィールドは、販売店端末ＳＴ-ｌからメディアＩＤが送信されて来るたびに拡張されるものである。
【００６８】
更に、このユーザ管理テーブルＴＢＬ１には、各ユーザＩＤと対応づけて、当該ユーザＩＤに対応するユーザＵが獲得しているポイント数を格納するためのフィールドが設けられている。このフィールドに格納されているポイントは、メディア再生装置ＭＰ-ｋからインクリメント後のポイントが送信されてきた場合、及び、販売店端末ＳＴ-ｌからディクレメント後のポイントが送信されてきた場合に更新される。この結果、ユーザ管理テーブルＴＢＬ１には、常にＩＤカードＣにおけるポイントの更新結果が反映されることとなる。
【００６９】
ｂ）広告情報配信部２１２
この広告情報配信部２１２は、メディア再生装置ＭＰ-ｋから送信されてきたリクエストメッセージに対して、差替広告情報を配信する機能を有し、論理的には、システム制御部２１にＦＴＰ（File Transfer Protocol）ファイルサーバ機能等の機能を持たせることにより実現されるものである。
【００７０】
ここで、本実施形態において、テーブル記録部２３には、上記ユーザ管理テーブルＴＢＬ１と共に、広告登録テーブルＴＢＬ２が記録されている。この広告登録テーブルＴＢＬ２の記録内容を図８に示す。同図に示すように広告登録テーブルＴＢＬ２には、各メディアＩＤと対応づけて広告ＩＤが格納されている。このテーブルＴＢＬ２において、各メディアＩＤと対応づけて格納されている広告ＩＤは、当該メディアＩＤに対応するパッケージメディアＭの再生時に、メディア再生装置ＭＰ-ｋに対して配信すべき広告情報に対応する広告ＩＤである。
【００７１】
上述のように、広告情報のダウンロードに際してメディア再生装置ＭＰ-ｋからメディアＩＤを付加したリクエストメッセージが送信されてくると、広告情報配信部２１２は、かかるメディアＩＤに基づいて広告登録テーブルＴＢＬ２を検索する。そして、広告情報配信部２１２は、当該メディアＩＤに対応付けられた広告ＩＤを読み出し、当該広告ＩＤに対応する広告情報をメディア再生装置ＭＰ-ｋへと送信するのである。
【００７２】
なお、各メディアＩＤに対応するパッケージメディアＭの再生時に配信すべき広告情報を如何にして決定するかは、任意である。例えば、広告代理店Ａにおいて広告主からの要望に応じるように配信すべき広告情報を決定するようにしても良い。また、パッケージメディアＭに記録されているコンテンツデータについて、上述した２００３年特許願３９０９７７号に記載のストーリー分類方法を利用して、当該コンテンツデータにストーリー的に合致する広告情報を選択して、配信対象を決定するようにしても良い。
【００７３】
［１．３］第１実施形態の動作
（１）パッケージメディア再生時の動作概要
次に、本実施形態にかかる広告情報配信システム１の動作概要について説明する。なお、以下の説明においては、パッケージメディアＭの購入時に既に当該パッケージメディアＭの登録は完了し、ＩＤカードＣ及び管理サーバＣＳのユーザ管理テーブルＴＢＬ１にメディアＩＤ等の情報が記録されているものとして説明を行う。
【００７４】
まず、ユーザＵがメディア再生装置ＭＰ-ｋの電源を入れるとメディア再生装置ＭＰ-ｋのシステム制御部１０６は、図９に示す処理を開始する。なお、図９は、メディア再生装置ＭＰ-ｋのシステム制御部１０６が実行する処理を示すフローチャートである。
【００７５】
この処理においてシステム制御部１０６は、パッケージメディアＭの再生を行う旨の入力操作が行われたか否かを判定する状態となり（ステップＳａ１）、ユーザＵによって再生を行う旨の入力操作が行われるまで、同ステップの処理を繰り返す（「ｎｏ」）。この状態において、ユーザＵがメディアドライブ１０４に再生対象となるパッケージメディアＭをセットすると共に、リーダ・ライタ１０１にＩＤカードＣをセットする。
【００７６】
そして、ユーザＵがメディア再生装置ＭＰ-ｋのユーザＩ／Ｆ部１０３に当該パッケージメディアＭの再生を行う旨の入力操作を行うと、システム制御部１０６は、ステップＳａ１において「ｙｅｓ」と判定して、再生モード決定処理を実行する（ステップＳａ２）。システム制御部１０６は、この再生モード決定処理（ステップＳａ２）を実行することにより、当該パッケージメディアＭを上述した通常再生モードにより再生するか、広告挿入再生モードにより再生するかを決定する。
【００７７】
次いで、システム制御部１０６は、パッケージメディア再生処理を実行することにより（ステップＳａ３）、当該パッケージメディアＭの再生時に管理サーバＣＳから広告情報をダウンロードして、当該広告情報を挿入しつつ、パッケージメディアＭの再生を行う。詳しくは後述するが、システム制御部１０６は、このパッケージメディア再生処理（ステップＳａ３）において広告情報の再生時間を積算する。
【００７８】
システム制御部１０６は、この広告情報の再生時間に基づいてユーザＵに付与すべきポイント数を算出すると共に、リーダ・ライタ１０１に制御信号を出力する（ステップＳａ４）。この結果、再生対象となっているパッケージメディアＭに対応するメディアＩＤと対応付けてＩＤカードＣに記録されている再生時間数が加算されると共に、算出されたポイント数だけＩＤカードＣの獲得ポイント数をカウントするためのカウンタがインクリメントされる。
【００７９】
なお、ステップＳａ４においてポイントを算出する方法は、任意である。ステップＳａ４において積算された広告情報の再生時間数に対して、例えば１５秒を単位時間として当該単位時間毎に１ポイントを付与するようにしても良い。また、広告情報毎に付与すべきポイント数を変更するようにし、再生された広告情報によってユーザＵに付与すべきポイント数を変更するようにしても良い。
【００８０】
以上の処理が終了すると、システム制御部１０６は、ＩＤカードＣに記録されている更新後のポイント数等を示すデータを管理サーバＣＳへとアップロードして（ステップＳａ５）、処理を終了する。この際、システム制御部１０６は、リーダ・ライタ１０１に制御信号を出力することによりＩＤカードＣからユーザＩＤを読み出して、管理サーバＣＳにアップロードするデータに付加する。
【００８１】
一方、メディア再生装置ＭＰ-ｋからデータが送信されてくると、管理サーバＣＳのユーザ管理部２１１は、この送信されてきたデータ付加されているユーザＩＤに基づいてユーザ管理テーブルＴＢＬ１を検索し、当該ユーザＩＤと対応付けられているポイント数を更新する。この結果、ユーザ管理テーブルＴＢＬ１に記録されているポイント数が減算され、ＩＤカードＣに記録されているポイント数とユーザ管理テーブルＴＢＬ１に記録されているポイント数とが一致することとなる。
【００８２】
（１-１）再生モード決定処理
次いで、上記ステップＳａ１において実行される再生モード決定処理について図１０及び図１１を参照しつつ説明する。なお、図１０及び図１１は、メディア再生装置ＭＰ-ｋのシステム制御部１０６が実行する再生モード決定処理の処理内容を示すフローチャートである。
【００８３】
同図に示すように、この処理において、システム制御部１０６は、まず、リーダ・ライタ１０１に対して制御信号を出力して、ＩＤカードＣの挿入が検出されたか否かを判定する（ステップＳｂ１）。この判定の結果、「ｎｏ」と判定した場合、システム制御部１０６は、再生モードを通常再生モードに設定して（ステップＳｂ１９）、本処理を終了する。
【００８４】
これに対して、ステップＳｂ１において「ｙｅｓ」と判定した場合、システム制御部１０６は、メディアドライブ１０４に制御信号を出力することにより、パッケージメディアＭに記録されているコンテンツのタイトル名を読み出した後（ステップＳｂ２）、リーダ・ライタ１０１に制御信号を出力することにより、ＩＤカードＣに記録されている全タイトル名を読み出す（ステップＳｂ３）。
【００８５】
次いで、システム制御部１０６は、この読み出した両タイトル名を比較することにより、再生対象となっているパッケージメディアＭがＩＤカードＣに登録されているか否かを判定する（ステップＳｂ４）。具体的には、パッケージメディアＭから読み出したタイトル名と同一のタイトル名が、ＩＤカードＣから読み出されたタイトル名の中に含まれている場合、システム制御部１０６は、同判定において「ｙｅｓ」と判定するのに対し、含まれていない場合「ｎｏ」と判定する。この結果、ステップＳｂ４においては、当該パッケージメディアＭの再生時に広告情報の再生が許容されている場合に「ｙｅｓ」と判定され、許容されていない場合に「ｎｏ」と判定されることとなる。
【００８６】
そして、この判定の結果、「ｎｏ」と判定した場合、システム制御部１０６は、再生モードを通常再生モードに設定して（ステップＳｂ１９）、本処理を終了する。
【００８７】
これに対して、このステップＳｂ４において「ｙｅｓ」と判定した場合、システム制御部１０６は、ＩＤカードＣから当該タイトル名に対応するメディアＩＤとユーザＩＤを読み出して、図示せぬＲＡＭに記憶すると共に（ステップＳｂ５）、当該メディアＩＤとユーザＩＤを管理サーバＣＳへと送信して（ステップＳｂ６）、管理サーバＣＳからデータが送信されてくるのを待機する状態となる（ステップＳｂ７）。
【００８８】
一方、かかるデータが送信されてくると、管理サーバＣＳにおいては、ユーザ管理部２１１が、送信されてきたユーザＩＤとメディアＩＤに基づいてユーザ管理テーブルＴＢＬ１を検索する。そして、かかる検索の結果に基づいて、ユーザ管理部２１１は、以下の２種類のデータを選択的にメディア再生装置ＭＰ-ｋに送信する。
【００８９】
ａ）登録通知
この通知は、当該パッケージメディアＭの再生時に広告情報を再生することが許容されている旨を示すデータであり、当該ユーザＩＤと同一のユーザＩＤがユーザ管理テーブルＴＢＬ１に格納されており、且つ、当該メディアＩＤと同一のメディアＩＤが当該ユーザＩＤと対応付けてユーザ管理テーブルＴＢＬ１に登録されている場合に送信されるものである。
【００９０】
ｂ）非登録通知
この通知は、当該パッケージメディアＭの再生時に広告情報を再生することが許容されていない旨を示すデータであり、当該ユーザＩＤと同一のユーザＩＤがユーザ管理テーブルＴＢＬ１に格納されていない場合や、当該メディアＩＤと同一のメディアＩＤが当該ユーザＩＤと対応付けてユーザ管理テーブルＴＢＬ１に登録されていない場合に送信されるものである。
【００９１】
一方、管理サーバＣＳからデータが送信されてくると、メディア再生装置ＭＰ-ｋにおいては、ステップＳｂ７における判定が「ｙｅｓ」となり、システム制御部１０６は、送信されてきたデータが非登録通知であるか否かを判定する状態となる（ステップＳｂ８）。この判定の結果、「ｎｏ」と判定した場合、システム制御部１０６は、再生モードを通常再生モードに設定して（ステップＳｂ１９）、本処理を終了する。
【００９２】
これに対して、「ｙｅｓ」と判定した場合、システム制御部１０６は、画像データを生成してデコーダ１０８へと出力し（ステップＳｂ９）、ユーザＵによる入力を待機する状態となる（ステップＳｂ１０）。この結果、モニタＭＮには、例えば、「広告を挿入しても宜しいですか」等の文字列と共に、「ｙｅｓ」、「ｎｏ」の二つのボタンが表示される。
【００９３】
かかる表示に従って、ユーザＵがユーザＩ／Ｆ部１０３に対して、例えば、「ｙｅｓ」、「ｎｏ」何れかのボタンを選択する旨の入力操作を行うと、ユーザＩ／Ｆ部１０３から入力操作に対応した入力信号が供給され、システム制御部１０６においてはステップＳｂ１０における判定が「ｙｅｓ」となる。この結果、システム制御部１０６は、ステップＳｂ１１において、当該入力信号が「ｙｅｓ」に対応したものか否かを判定する。
【００９４】
ここで、例えば、ユーザＵが「ｎｏ」を選択する旨の入力操作を行っていた場合、システム制御部１０６は、ステップＳｂ１１において「ｎｏ」と判定し、再生モードを通常再生モードに設定して（ステップＳｂ１９）、処理を終了する。
【００９５】
これに対して、ユーザＵが「ｙｅｓ」を選択する旨の入力操作を行っていた場合、システム制御部１０６は、ステップＳｂ１１において「ｙｅｓ」と判定し、再度、画像データを生成してデコーダ１０８へと供給し（ステップＳｂ１２）、ユーザＵによる入力操作を待機する状態となる（ステップＳｂ１３）。この結果、モニタＭＮには、例えば、「広告挿入量を選択してください。」等の文字列と共に、「ＬＩＧＨＴ」、「ＭＥＤＩＵＭ」、「ＨＥＡＶＹ」の３つのボタンが表示される。
【００９６】
かかる表示に従いユーザＵが、例えば、上記ボタンを選択する旨の入力操作をユーザＩ／Ｆ部１０３に対して行うと、システム制御部１０６は、ステップＳｂ１３において「ｙｅｓ」と判定し、当該選択されたボタンに基づいて広告挿入量「Ｙ」を判定する（ステップＳｂ１４）。ここで例えば、ユーザＵが「ＨＥＡＶＹ」を選択していた場合、システム制御部１０６は「Ｙ＝６」と設定し（ステップＳｂ１５）、「ＭＥＤＩＵＭ」を選択していた場合「Ｙ＝４」と設定し（ステップＳｂ１６）、「ＬＩＧＨＴ」を選択していた場合「Ｙ＝２」と設定する（ステップＳｂ１７）。そして、システム制御部１０６は、この設定された「Ｙ」の値を図示せぬＲＡＭに記憶し、再生モードとして広告挿入再生モードを設定した後（ステップＳｂ１８）、本処理を終了する。
【００９７】
以上の処理が行われる結果、再生モードの設定が完了する。
【００９８】
（１-２）パッケージメディア再生処理
次いで、上記ステップＳａ２において実行されるパッケージメディア再生処理について図１２乃至図１４を参照しつつ説明する。なお、図１２乃至図１４は、メディア再生装置ＭＰ-ｋのシステム制御部１０６が実行するパッケージメディア再生処理の処理内容を示すフローチャートである。
【００９９】
この処理において、システム制御部１０６は、まず、上記再生モード決定処理（ステップＳａ１）において設定された再生モードが通常再生モードであるか否かを判定する（ステップＳｃ１）。この判定の結果、通常再生モードに設定されているものと判定すると（「ｙｅｓ」）、システム制御部１０６は、スイッチ１０７に制御信号を出力してスイッチ１０７の接続先を端子ａに変更させると共に、メディアドライブ１０４に制御信号を出力して挿入されているパッケージメディアＭの再生を開始させる（ステップＳｃ２１）。そして、システム制御部１０６は、当該パッケージメディアＭの再生が終了点に達したか否かを判定する状態となり（ステップＳｃ２２）、当該メディアＭの再生が終了するまで同ステップＳｃ２２の処理を繰り返す（「ｎｏ」）。この結果、再生が終了点に達するまで、随時メディアドライブ１０４によって読み出されたデータがスイッチ１０７を介してデコーダ１０８に供給され、当該パッケージメディアＭに記録されているコンテンツデータに対応する画像がモニタＭＮに表示される。その後、再生が終了点に達すると、システム制御部１０６はステップＳｃ２２において「ｙｅｓ」と判定して、処理を終了する。
【０１００】
これに対して、再生モードが広告挿入再生モードに設定されている場合（ステップＳｃ１「ｎｏ」）、システム制御部１０６は、管理サーバＣＳに対してリクエストメッセージを送信して（ステップＳｃ２）、データの受信を待機する状態となる（ステップＳｃ３）。この際、システム制御部１０６は、当該メッセージに対して再生対象となるパッケージメディアＭに対応するメディアＩＤを付加する。
【０１０１】
一方、当該リクエストメッセージが送信されてくると、管理サーバＣＳの広告情報配信部２１２は、当該リクエストメッセージに含まれているメディアＩＤを抽出すると共に、当該メディアＩＤを検索キーとして広告登録テーブルＴＢＬ２を検索して、当該メディアＩＤと対応付けて格納されている広告ＩＤを読み出す。次いで、広告情報配信部２１２は、当該広告ＩＤと対応付けて広告情報ＤＢ２４に格納されている広告情報を読み出して、メディア再生装置ＭＰ-ｋに送信する。この結果、当該パッケージメディアＭの再生時に再生すべき広告情報が選択されて、メディア再生装置ＭＰ-ｋに配信されることとなる。
【０１０２】
このようにして管理サーバＣＳから広告情報が送信されてくると、メディア再生装置ＭＰ-ｋのシステム制御部１０６は、ステップＳｃ３において「ｙｅｓ」と判定して、受信した広告情報を広告情報記録部１０５に記録させると共に（ステップＳｃ４）、当該記録された広告情報の数「ｚ」をＲＡＭに記憶して、カウンタ「ｎ」を「ｎ＝１」に設定する（ステップＳｃ５）。このようにして、各種パラメータの設定が完了すると、システム制御部１０６は、広告情報の再生時間の積算を開始する（ステップＳｃ６）。具体的には、広告情報の再生時間をカウントするためのタイマを「０」にセットして、事後に広告情報が再生された時間数をカウントできる状態にするのである。
【０１０３】
次いで、システム制御部１０６は、スイッチ１０７に制御信号を出力してスイッチ１０７の接続先を端子ｂに変更させると共に、メディアドライブ１０４に制御信号を出力して挿入されているパッケージメディアＭの再生を開始させる（ステップＳｃ７）。この結果、メディアドライブ１０４において随時読み出されたデータが、スイッチ１０７を介してデコーダ１０８に入力され、モニタＭＮに出力されている状態となる。次いで、システム制御部１０６は、再生中のパッケージメディアＭが広告挿入点に到達したか否かを判定する状態となり（ステップＳｃ８）、広告挿入点に到達するまで同ステップの処理を繰り返す（「ｎｏ」）。
【０１０４】
その後、パッケージメディアＭの再生が進行し、広告挿入点に到達すると、システム制御部１０６は、ステップＳｃ８において「ｙｅｓ」と判定して、メディアドライブ１０４に制御信号を出力してメディアドライブ１０４におけるパッケージメディアＭの再生をポーズ状態にすると共に、停止、早送り等の操作を禁止する状態となる（ステップＳｃ９）。そして、システム制御部１０６は、スイッチ１０７に制御信号を出力して接続先を端子ｂに切り替えさせると共に（ステップＳｃ１０）、画像データを生成してデコーダ１０８に出力する（ステップＳｃ１１）。この結果、モニタＭＮには、再生画面上に、例えば、「広告を再生するには再生ボタンを押してください」等の文字列が表示される。
【０１０５】
このように、広告情報の再生に際してユーザＵにプレイボタンを押させ、且つ、早送り等の機能を制限することにより、ユーザＵが見ていない状態において広告情報の再生を行い、当該ユーザＵが不当にポイントを取得することを防止することが可能となる。
【０１０６】
かかる表示処理を契機として、システム制御部１０６は、ユーザＵによる再生ボタンの押下を待機する状態となる（ステップＳｃ１２）。そして、ユーザＵがユーザＩ／Ｆ部１０３の再生ボタンを押下する入力操作を行うと、システム制御部１０６は、ステップＳｃ１２において「ｙｅｓ」と判定し、広告情報記録部１０５に制御信号を出力することにより広告情報記録部１０５に「ｎ」番目の広告情報を出力させる（ステップＳｃ１３）。この結果、広告情報記録部１０５から出力された広告情報がスイッチ１０７を介してデコーダ１０８に入力され、当該広告情報に対応する画像がモニタＭＮに表示されることとなる。
【０１０７】
ここで、「ｎ」は、再生当初に「ｎ＝１」に設定されるものである（ステップＳｃ５）。従って、当該パッケージメディアＭの再生開始後初めて広告情報が再生される場合、広告情報記録部１０５に記録されている広告情報の中で「１」番目の広告情報が再生されることとなる。
【０１０８】
その後、ｎ番目の広告情報の再生が終了するとシステム制御部１０６は、「ｎ＝ｎ＋１」とすると共に、「ｎ＝ｚ」ならば「ｎ＝１」とする（ステップＳｃ１４）。すなわち、「ｎ」の値が広告情報記録部１０５に記録されている広告情報数「ｚ」以下の場合には随時「ｎ＝ｎ＋１」とすることにより随時次の広告情報を再生対象としていくと共に、「ｎ＝ｚ」となった場合には再度「１」番目の広告情報を再生対象とするのである。
【０１０９】
次いで、システム制御部１０６は、当該広告挿入点における広告挿入数が、上記図１１のステップＳｂ１４〜Ｓｂ１７において設定された「Ｙ」の値を超えているか否かを判定する（ステップＳｃ１５）。そして、かかる判定において「ｎｏ」と判定した場合、システム制御部１０６は、再度ステップＳｃ１１〜ステップＳｃ１５の処理を繰り返すことにより、当該広告挿入点における広告挿入数が設定されている「Ｙ」の値を超えるまで、順次広告情報が再生されていくこととなる。
【０１１０】
一方、広告挿入数が「Ｙ」の値を越えると、システム制御部１０６は、ステップＳｃ１５において「ｙｅｓ」と判定して、スイッチ１０７に制御信号を出力することによりスイッチ１０７の接続先を端子ａに切り替えさせると共に、メディアドライブ１０４に制御信号を出力することでポーズ状態を解除させる（ステップＳｃ１６）。そして、システム制御部１０６は、停止、早送り等の操作を禁止を解除して（ステップＳｃ１７）、広告挿入点に到達したか否かを判定する状態となる（ステップＳｃ１８）。
【０１１１】
この判定の結果、「ｙｅｓ」と判定した場合、システム制御部１０６は、ステップＳｃ９〜ステップＳｃ１７の処理を繰り返すことにより、広告情報の再生を行う。これに対して、ステップＳｃ１８において「ｎｏ」と判定した場合、システム制御部１０６は、再生点が終了点に到達したか否かを判定する状態となる（ステップＳｃ１９）。そして、同判定において「ｎｏ」と判定した場合、システム制御部１０６は、再度、ステップＳｃ１８及びステップＳｃ１９の処理を繰り返すのである。
【０１１２】
一方、ステップＳｃ１９において「ｙｅｓ」と判定した場合、システム制御部１０６は、メディアドライブ１０４に制御信号を出力してパッケージメディアの再生を終了させると共に、広告情報の再生時間の積算を終了し（ステップＳｃ２０）、ステップＳａ３にかかるパッケージメディア再生処理を終了する。
【０１１３】
（２）パッケージメディア購入時の動作
次に、ユーザＵがパッケージメディアＭを購入する際の動作を説明する。なお、以下の説明においては、既にユーザＵは、ＩＤカードＣを取得しており、且つ、既にポイントを獲得しているものとして説明を行う。
【０１１４】
まず、ユーザＵがＩＤカードＣに記録されているポイントを利用してパッケージメディアを購入しようとする場合、ユーザＵは、購入すべきパッケージメディアＭを決定して、ＩＤカードＣと共に、販売店Ｓの店員に手渡すことが必要となる。販売店Ｓの店員は、決済金額を販売店端末ＳＴ-ｌの図示せぬ操作部に入力すると共に、手渡されたＩＤカードＣを販売店端末ＳＴ-ｌの図示せぬリーダ・ライタに挿入して、所定の操作を行う。
【０１１５】
すると、販売店端末ＳＴ-ｌにおいては図１５に示す処理が実行される。なお、図１５は、販売店端末ＳＴ-ｌにおいて実行される処理を示すフローチャートである。
【０１１６】
この処理において販売店端末ＳＴ-ｌは、まず、ＩＤカードＣから獲得ポイント数の合計値を読み出し（ステップＳｄ１）、当該ポイント数を図示せぬ表示部に表示させるための処理を実行して（ステップＳｄ２）、使用ポイント数が指定されたか否かを判定する状態となる。この状態において、ユーザＵ、若しくは、販売店Ｓの店員は、販売店端末ＳＴ-ｌの図示せぬ操作部に使用ポイント数を指定する操作を行うことが必要となる。
【０１１７】
そして、ユーザＵ等により使用ポイント数を指定する入力操作が行われると、販売店端末ＳＴ-ｌは、ステップＳｄ３において「ｙｅｓ」と判定して、決済金額の減算を行う（ステップＳｄ４）。具体的には、販売店端末ＳＴ-ｌは、既に入力されている決済金額から使用ポイント数に対応する額の金額を減算するのである。
【０１１８】
次いで、販売店端末ＳＴ-ｌは、決済を完了する旨の入力操作が行われたか否かを判定する状態となり（ステップＳｄ５）、販売店Ｓの店員により決済を完了する旨の入力操作が行われるまで、同ステップの処理を繰り返す（「ｎｏ」）。この状態において、販売店Ｓの店員が決済が完了した旨の入力操作を操作部に対して行うと、販売店端末ＳＴ-ｌは、ＩＤカードＣに記録されている使用ポイント数をインクリメントし、獲得ポイント数をディクレメントすることによりＩＤカードＣに記録されているポイント数を更新する（ステップＳｄ７）。このようにして、ＩＤカードＣに記録されているポイント数が更新されると、販売店端末ＳＴ-ｌは、更新後のポイント数を示すデータを管理サーバＣＳに送信する（ステップＳｄ８）。この際、販売店端末ＳＴ-ｌは、ＩＤカードＣからユーザＩＤを読み出して、当該データ付加する。
【０１１９】
一方、販売店端末ＳＴ-ｌからデータが送信されてくると、管理サーバＣＳのユーザ管理部２１１は、この送信されてきたデータ付加されているユーザＩＤに基づいてユーザ管理テーブルＴＢＬ１を検索し、当該ユーザＩＤと対応付けられているポイント数を更新する。この結果、ユーザ管理テーブルＴＢＬ１に記録されているポイント数が減算され、ＩＤカードＣに記録されているポイント数とユーザ管理テーブルＴＢＬ１に記録されているポイント数とが一致することとなる。
【０１２０】
その後、ユーザＵは、この減算後の金額を支払って決済を行う。なお、この際の決済方法は任意である。例えば、現金により、決済を行うようにしても良いし、クレジットカードや電子マネー等の方法により決済を行うようにしても良い。
【０１２１】
このようにして、本実施形態においてメディア再生装置ＭＰ-ｋは、パッケージメディアＭを再生するメディアドライブ１０４、システム制御部１０６、スイッチ１０７及びデコーダ１０８と、パッケージメディアＭの識別情報としてタイトル名を取得するメディアドライブ１０４と、取得したタイトル名に基づいて、パッケージメディアＭの再生時に広告内容を示す広告情報の再生をユーザが許容しているか否かを示すメディアＩＤをＩＤカードＣから取得するリーダ・ライタ１０１と、少なくともメディアＩＤに基づき、広告情報の再生の可否を判定するシステム制御部１０６と、広告情報を管理サーバＣＳから取得するネットワークＩ／Ｆ部１０２と、を具備し、メディアドライブ１０４は、システム制御部１０６によって広告情報の再生が許容されているものと判定された場合に、パッケージメディアＭを再生しつつ、ネットワークＩ／Ｆ部１０２により取得された広告情報を再生する構成を採用している。
【０１２２】
従って、この構成により、パッケージメディアＭを識別するためタイトル名がパッケージメディアＭから取得され、そのタイトル名に基づいて、ＩＤカードＣからメディアＩＤが取得される。そして、少なくともメディアＩＤに基づき、広告情報の再生の可否が判定されると共に、管理サーバＣＳから広告情報が取得され、広告情報の再生が許容されているものと判定された場合に、広告情報が再生される。
【０１２３】
このため、パッケージメディアＭの再生時に広告情報を再生することが可能となり、もって、パッケージメディアＭの販売価格を低価格にすることが可能となる。また、新たな情報を何らメディアに記録すること無く、ＩＤカードＣにメディアＩＤが記録されているか否かに基づいて広告情報の挿入再生の許否が判定されるため、従来のＤＶＤ等のメディアに手を加えることなく広告情報を挿入再生することが可能となる。
【０１２４】
また、本実施形態においてメディア再生装置ＭＰ-ｋは、管理サーバＣＳから取得した広告情報を記録する広告情報記録部１０５を更に有し、システム制御部１０６によって広告情報の再生が許容されているものと判定された場合に、メディアドライブ１０４がパッケージメディアＭを再生して取得されたデータがスイッチ１０７を介してデコーダ１０８に入力されると共に、広告情報記録部１０５に記録されている広告情報がスイッチ１０７を介してデコーダ１０８に入力される構成となっている。この構成により、広告情報記録部１０５に記録されている広告情報が広告情報再生時に利用されることとなるため、公衆デジタル網ＩＳＮの通信速度が十分に確保できず、広告情報のダウンロードに時間を要する場合であっても、随時、広告情報記録部１０５に記録されている広告情報が再生されることとなり、パッケージメディアＭの再生中に、ユーザＵが待機しなければならない時間を削減することが可能となる。
【０１２５】
また更に、本実施形態においてメディア再生装置ＭＰ-ｋのシステム制御部１０６は、メディアＩＤと、ユーザＩ／Ｆ部１０３に対してユーザＵが行った入力操作と、に基づいて広告情報の再生の可否を判定する構成を採用している。この構成により、パッケージメディアＭの再生時にユーザＵが所定の入力操作を行うと広告情報の再生が禁止されることとなるため、ユーザＵの意図を反映しつつ広告情報を付加、再生することが可能となる。
【０１２６】
更に、本実施形態においてメディア再生装置ＭＰ-ｋは、システム制御部１０６においてパッケージメディアＭの再生時に再生すべき広告情報の再生時間を示す広告挿入量「Ｙ」を予め設定し、当該広告挿入量「Ｙ」により示された、時間だけ前記広告情報を再生する構成となっている。この構成により、パッケージメディアＭの再生時にユーザＵの意図に従って、広告挿入量の増減を行うことが可能となる。
【０１２７】
また、本実施形態においてメディア再生装置ＭＰ-ｋは、パッケージメディアの再生中に、予め定められたタイミングにて広告情報を再生する構成となっている。このため、広告挿入点を任意に設定することが可能となる。
【０１２８】
更にまた、本実施形態においてメディア再生装置ＭＰ-ｋは、広告情報の再生中にユーザＩ／Ｆ部１０３に対してユーザが所定の入力が行った場合に、パッケージメディアＭの再生を中断し、ユーザＵがユーザＩ／Ｆ部１０３に対して所定の入力を行った場合にのみ、広告情報を再生する構成となっている。この構成により、ユーザＵが操作を行わなければ広告情報が再生されないこととなるため、ユーザＵが、故意に見ることのない広告情報を再生することにより不正にポイントを取得することを防止することが可能となる。
【０１２９】
また更に、本実施形態においてメディア再生装置ＭＰ-ｋのシステム制御部１０６は、広告情報が再生された場合に、金銭的価値に対応するポイントを算出し、当該ポイントをＩＤカードＣに記録すると共に、ネットワークＩ／Ｆ部１０２が当該記録されたポイントを管理サーバＣＳに送信する構成となっている。また、本実施形態において広告情報配信システム１には、販売店端末ＳＴ-ｌが設けられ、当該販売店端末ＳＴ-ｌを利用して決済を行う場合、ＩＤカードＣに記録されているポイントに基づいて決済金額を減算され、ＩＤカードＣに記録されているポイントからユーザＵの使用した金額に応じた額を減じたポイントが新たにＩＤカードＣに記録される。
【０１３０】
この構成により、ユーザＵがポイントを利用してパッケージメディアＭを購入する場合、ＩＤカードＣに記録されているポイントが販売店端末ＳＴ-ｌによって読み出され、当該ポイントに応じた決済額の減算が行われて、ＩＤカードＣに記録されているポイントが更新される。このため、ユーザＵは、自己の取得したポイントに対応する金額の割引を、パッケージメディアＭの購入時に受けることが可能となる。
【０１３１】
なお、本実施形態においては、ユーザＵが取得したポイントやユーザＵの購入したパッケージメディアＭに関する情報は、ＩＤカードＣに記録され、更新される構成を採用している。しかし、これらの情報は、例えば、携帯電話機やＰＤＡ（Personal Digital Assistants）等の情報端末装置に記録するようにしても良い。この場合、携帯電話機等や、メディア再生装置ＭＰ-ｋ、販売店端末ＳＴ-ｌにＩｒＤＡ（InfraRed Data Association）やBluetooth等の通信インターフェイスを搭載し、当該インターフェイスを利用して、データの授受及び更新を行うようにすれば良い。
【０１３２】
また、物理的なハードウェアを用いなくとも、管理サーバＣＳのユーザ登録テーブルＴＢＬ１にパスワードを格納しておき、パッケージメディアＭの再生時にユーザＩＤとパスワードを入力させ管理サーバＣＳにおいてポイントを管理するようにしても良い。
【０１３３】
また更に、本実施形態においてメディア再生装置ＭＰ-ｋは、各ユーザＵにポイントを付与するに際して、パッケージメディアＭに記録されているコンテンツデータの再生時間とは無関係にポイントを付与する構成を採用している。しかし、かかる構成を採用した場合、ユーザＵが広告挿入点の再生を故意に繰り返すことで、何回と無く広告情報を再生し、不当にポイントを獲得することも想定できる。そこで、本編たるコンテンツデータの再生時間に応じて、予め広告情報の再生可能時間数を決めておき、かかる不正を防止することも可能である。同構成を採用する場合、パッケージメディアＭの再生に先立って、メディア再生装置ＭＰ-ｋのシステム制御部１０６においてコンテンツの再生時間数から広告情報再生可能時間を算出しておくことが必要となる。そして、上述した図１２乃至図１４の処理においてステップＳｃ１７の後に、当該再生可能時間数を超えているか否かの判断を行い、越えている場合にはステップＳｃ１８の処理をジャンプするようにし、ステップＳｃ１９の判定において「ｎｏ」と判定された場合に当該処理を繰り返すようにすれば、上記構成を実現することができる。
【０１３４】
更に、本実施形態において管理サーバＣＳの広告登録テーブルＴＢＬ２には各メディアＩＤと対応付けて、事前に配信すべき広告情報に対応した広告ＩＤが格納されている構成が採用されている。しかし、広告登録テーブルＴＢＬ２の記録内容、すなわち、各メディアＩＤに対応付けられている広告ＩＤを任意に変更可能とすることにより、各パッケージメディアＭの再生時に配信される広告情報を変更可能な構成としても良い。かかる方法を採用した場合、広告の有効期限が切れると、すぐに配信対象となる広告情報を変更することが可能となるため、広告のリアルタイム性を確保することも可能となる。
【０１３５】
更にまた、本実施形態においては、メディア再生装置ＭＰ-ｋがパッケージメディアを再生する際の構成について説明したが、コンテンツデータのネットワーク配信や蓄積型放送においても、同様の広告情報配信を実現することができる。
【０１３６】
また、パッケージメディアＭとしてコンテンツデータの記憶領域の他に、各種のデータを記録する記録領域を有するようなメディアの場合、当該記録領域に本実施形態においてＩＤカードＣに記録していた各種の情報を記録するようにすることも可能である。
【０１３７】
また更に、各種の広告情報を記録することのできるＩＤカードＣを用いる場合には、パッケージメディアＭの購入時に販売端端末ＳＴ-ｌを用いて管理サーバＣＳから広告情報をダウンロードしてＩＤカードＣに事前に記録しておくようにすることも可能である。この場合、メディア再生装置ＭＰ-ｋにおいてパッケージメディアＭを再生する際に、ＩＤカードＣから読み出された広告情報が再生されることとなる。かかる構成を採用すれば、各メディア再生装置ＭＰ-ｋと管理サーバＣＳとの間の通信速度に関わらず広告情報の再生を円滑に行うことが可能となる。
【０１３８】
更に、本実施形態において管理サーバＣＳと販売店端末ＳＴ-ｌは、公衆デジタル網ＩＳＮを介して通信を行う構成となっているが、両者を専用線ＬＬにより接続し当該専用線を介して通信を行うようにしても良い。
【０１３９】
更にまた、本実施形態において広告情報は、パッケージメディアＭの再生に先立って、メディア再生装置ＭＰ-ｋが管理サーバＣＳからダウンロードする構成となっている。しかし、広告情報は、パッケージメディアＭの再生時にリアルタイムにダウンロードするようにしても良い。
【０１４０】
また、本実施形態においてメディア再生装置ＭＰ-ｋは、パッケージメディアＭの再生時に広告挿入点において、コンテンツデータの再生を一時停止し、広告情報を再生する構成となっている。しかし、広告情報は、パッケージメディアＭに記録されているコンテンツデータの再生画面に重畳して表示し、所謂ポップアップ型の表示を行うようにしても良い。この場合、図４に示すスイッチ１０７を設けずに、広告情報記録部１０５からのデータをデコードするためのデコーダと、メディアドライブ１０４からのデータをデコードするためのデコーダを設けて、両デコーダからの出力信号を加算機において加算するようにすれば良い。
【０１４１】
更に、本実施形態においては、メディア再生装置ＭＰ-ｋにおいてＩＤカードＣから読み出した情報に基づいて広告情報の再生を行う構成となっているが、当該処理の動作を規定するプログラムが記録された記録媒体と、それを読み取るコンピュータと、を備え、このコンピュータで当該プログラムを読み込むことによって上述と同様の処理動作を行うようにしてもよい。
【０１４２】
［２］実施形態の変形例
［２．１］変形例１
上述した実施形態において各メディア再生装置ＭＰ-ｋは、全て、単一のネットワークである公衆デジタル網ＩＳＮに収容された構成が採用されていた。しかし、各ユーザＵの環境によっては、各メディア再生装置ＭＰ-ｋが異なるネットワークに収容されている場合も想定される。そこで、各メディア再生装置ＭＰ-ｋの収容されているネットワークの通信速度に応じ広告情報の画像レートを管理サーバＣＳにおいて変更して、配信することにより、各ユーザＵのおかれているネットワーク環境に応じた広告情報配信を実現することも可能である。
【０１４３】
かかる機能を実現するため、本変形例にかかる管理サーバＣＳは、上述した図５に示す各要素の他に、更にデータ量削減装置を有する。このデータ量削減装置は、広告情報配信部２１２の制御の下、各種画像データのデータ量を削減して、メディア再生装置ＭＰ-ｋに配信する。なお、このデータ量削減装置が広告情報のデータ量を削減する方法については、任意である。例えば、以下のような方法が考えられる。
【０１４４】
ａ）削減方法１
この方法においてデータ量削減装置は、広告情報ＤＢ２４から読み出した広告情報を一度復号し、再度、より大きな量子化ステップで符号化することにより広告情報のデータ量を削減する。
【０１４５】
ｂ）削減方法２
この方法においてデータ量削減装置は、広告情報ＤＢ２４から読み出した広告情報を構成する複数のフレームにおいて復号時に影響を与える可能性の低い、例えば、Ｂフレーム等のフレームを一定の割合で間引くことにより広告情報のデータ量を削減する。この結果、例えば、３０フレーム／秒の画像からなる広告情報がＩ、Ｐフレームのみの１０フレーム／秒の画像からなるデータに圧縮される。
【０１４６】
ｃ）削減方法３
この方法においてデータ量削減装置は、広告情報ＤＢ２４から読み出した広告情報を復号し、当該広告情報よりも圧縮レートの高い方式により再符号化することにより広告情報のデータ量を削減する。
【０１４７】
ここで、各メディア再生装置ＭＰ-ｋが収容されているネットワークの通信速度が異なる場合、管理サーバＣＳにおいて各メディア再生装置ＭＰ-ｋの収容されているネットワークの通信速度を把握することができなければ、どの程度のデータ量削減を施せば良いのかを把握することができない。そこで、本変形例において、メディア再生装置ＭＰ-ｋのシステム制御部１０６は、電源投入時に後述する通信速度算出処理を実行することにより、自機の収容されているネットワークの通信速度を算出し、記録する。そして、上述した図１２ステップＳｃ２においてリクエストメッセージを送信する際に、当該リクエストメッセージに対して記録している通信速度を付加するのである。
【０１４８】
一方、管理サーバＣＳの広告情報配信部２１２は、メッセージに付加されてきた通信速度に従い後述するデータ量削減処理を実行し、かかる処理により、データ量が削減された広告情報をメディア再生装置ＭＰ-ｋへと配信する。
【０１４９】
次に、具体的な処理内容について図１６及び図１７を参照しつつ説明することとする。なお、図１６は、上述した通信速度算出処理の処理内容を示すフローチャートであり、図１７は、上述したデータ量削減処理の処理内容を示すフローチャートである。
【０１５０】
まず、メディア再生装置ＭＰ-ｋの電源投入をトリガとしてシステム制御部１０６は、この通信速度算出処理を開始して当該メディア再生装置ＭＰ-ｋがネットワークに始めて接続されたか、或いは、当該電源投入が当該月における最初のものであるか否かを判定する（ステップＳｅ１）。この判定において、「ｎｏ」と判定した場合、システム制御部１０６は、既に通信速度の算出が完了しているものとして、処理を終了する。
【０１５１】
これに対して、ステップＳｅ１において「ｙｅｓ」と判定した場合、システム制御部１０６は、時間の計測をスタートすると共に（ステップＳｅ２）、管理サーバＣＳに対してテストデータの送信リクエストを送信する（ステップＳｅ３）。一方、管理サーバＣＳのユーザ管理部２１１は、このリクエストに従って、テストデータを送信する。ここで、テストデータとは、所定データ量（例えば、５００ＫＢｙｔｅ）のデータであり、通信速度計測用に管理サーバＣＳが予め記録しているものである。
【０１５２】
一方、上記リクエストの送信を契機として、メディア再生装置ＭＰ-ｋのシステム制御部１０６は、テストデータの受信が完了したか否かを判定する状態となり（ステップＳｅ４）、テストデータの受信が完了するまで、同ステップの処理を繰り返す（「ｎｏ」）。そして、テストデータの受信が完了した時点で、システム制御部１０６は、時間計測を終了する（ステップＳｅ５）。この結果、システム制御部１０６によってリクエスト送信からテストデータの受信完了までに要した時間が計測されることとなる。なお、リクエストのデータ量は、テストデータのデータ量と比較して非常に小さいため、リクエスト送信からテストデータの受信開始までの時間が計測結果に与える影響はきわめて小さい。
【０１５３】
次いで、システム制御部１０６は、テストデータのデータ量と、ステップＳｅ５における計測結果に基づいて、当該メディア再生装置ＭＰ-ｋの収容されているネットワークの通信速度Ｄｒａｔｅを算出する（ステップＳｅ６）。そして、システム制御部１０６は、この算出された通信速度Ｄｒａｔｅの値が「６Ｍｂｐｓ」以上であるか否かを判定し（ステップＳｅ７）、「ｙｅｓ」と判定した場合には、ネットワークの通信速度として「６Ｍｂｐｓ」を記録して（ステップＳｅ１１）、処理を終了する。
【０１５４】
これに対して、判定の結果「ｎｏ」と判定した場合、システム制御部１０６は、次いで算出結果が「３Ｍｂｐｓ」以上であるか否かを判定し（ステップＳｅ７）、「ｙｅｓ」と判定した場合には、Ｄｒａｔｅとして「３Ｍｂｐｓ」を記録して（ステップＳｅ１２）、処理を終了する。また、ステップＳｅ７において「ｎｏ」と判定した場合、システム制御部１０６は、当該算出結果が「１Ｍｂｐｓ」以上であるか否かを判定し、この判定の結果「ｙｅｓ」と判定した場合には、Ｄｒａｔｅとして「１Ｍｂｐｓ」を記録する一方（ステップＳｅ１３）、「ｎｏ」と判定した場合にはＤｒａｔｅとして「５００ｋｂｐｓ」を記録して（ステップＳｅ１０）、処理を終了する。
【０１５５】
かかる一連の処理により、メディア再生装置ＭＰ-ｋの収容されている通信速度Ｄｒａｔｅが算出され、記録されることとなる。このように通信速度Ｄｒａｔｅの算出、記録が終了している状態で、ユーザＵが、メディアドライブ１０４に再生対象となるパッケージメディアＭをセットし、リーダ・ライタ１０１にＩＤカードＣをセットする。そして、ユーザＵがメディア再生装置ＭＰ-ｋのユーザＩ／Ｆ部１０３に当該パッケージメディアＭの再生を行う旨の入力操作を行うと、メディア再生装置ＭＰ-ｋのシステム制御部１０６は、上述した図１０及び図１１に示す再生モード決定処理を実行した後、図１２乃至図１４に示すパッケージメディア再生処理を実行する。なお、再生モード決定処理及びパッケージメディア再生処理の処理内容については、基本的に上述した実施形態と同様である。
【０１５６】
かかる処理において上述した実施形態と異なる部分は、図１２のステップＳｃ２のみである。具体的には、このステップＳｃ２においてリクエストメッセージを送信するに際して、システム制御部１０６は、当該リクエストメッセージに対して再生対象となっているパッケージメディアＭのメディアＩＤのみならず、記録している通信速度Ｄｒａｔｅを付加する。
【０１５７】
一方、かかるリクエストメッセージが送信されてくると、管理サーバＣＳの広告情報配信部２１２は、図１７に示すデータ量削減処理を実行する。この処理において、広告情報配信部２１１は、まず、当該リクエストメッセージに付加されてきたメディアＩＤと、Ｄｒａｔｅを抽出する（ステップＳｆ１）。そして、広告情報配信部２１２は、抽出したＤｒａｔｅに対応する制御信号をデータ量削減装置に出力することにより、データ量削減装置の設定を変更する（ステップＳｆ２）。
【０１５８】
次いで、広告情報配信部２１２は、ステップＳｆ１において抽出したメディアＩＤを検索キーとして広告登録テーブルＴＢＬ２を検索することにより、当該メディアＩＤと対応付けて格納されている広告ＩＤを読み出す（ステップＳｆ３）。広告情報配信部２１２は、このようにして読み出された広告ＩＤに対応する広告情報を広告情報ＤＢ２４から読み出して、順次データ量削減装置に入力する（ステップＳｆ４）。この結果、データ量削減装置によって、広告情報のデータ量がＤｒａｔｅに対応するデータ量に削減されてメディア再生装置ＭＰ-ｋへと送信されることとなる。
【０１５９】
その後、広告情報配信部２１２は、全ての広告情報の送信が完了したか否かを判定する状態となり（ステップＳｆ５）、全ての広告情報の配信が完了するまで、ステップＳｆ４及びステップＳｆ５の処理を繰り返すこととなる（ステップＳｆ５「ｎｏ」）。
【０１６０】
一方、メディア再生装置ＭＰ-ｋにおいては、上記図１２乃至図１４のステップＳｃ３〜ステップＳｃ２１の処理が実行され、パッケージメディアＭの再生時に広告情報が挿入、再生されることとなる。
【０１６１】
このようにして、本変形例において管理サーバＣＳは、メディア再生装置ＭＰ-ｋを収容するネットワークの通信速度に応じて、メディア再生装置ＭＰ-ｋに対して配信すべき広告情報のデータ量を変更するデータ量削減装置を更に有し、このデータ量削減装置によって広告情報のデータ量を削減してメディア再生装置ＭＰ-ｋに配信する構成となっている。この構成により、メディア再生装置ＭＰ-ｋの収容されているネットワークの通信速度に応じて、データ量を削減した後の広告情報がメディア再生装置ＭＰ-ｋに配信されることとなるため、ネットワークの通信速度に応じて広告情報のデータ量を削減して、配信することが可能となり、もって、ユーザＵの待機すべき時間数を減少させることが可能となる。
【０１６２】
［２．２］変形例２
上述した実施形態は、メディア再生装置ＭＰ-ｋにおいてパッケージメディアＭの再生時に、再生モードを決定し、当該モードによりパッケージメディアＭの再生を行うものであった。しかし、上述した通常再生モードによりパッケージメディアＭの再生を開始した後にユーザＵが広告情報の再生を望む場合がある。また、広告挿入再生モードによりパッケージメディアＭの再生を開始した後に、ユーザＵが通常再生モードへの切り替えを望む場合もある。
【０１６３】
そこで、本変形例は、メディア再生装置ＭＰ-ｋにおけるパッケージメディアＭの再生開始後に再生モードの切り替えを実現しようとするものである。かかる機能を実現するために本変形例にかかるメディア再生装置ＭＰ-ｋのシステム制御部１０６は、ユーザＩ／Ｆ部１０３に対して所定の入力操作が行われると、再生画面と重畳してメニュー画面を表示する。そして、かかるメニュー画面上でユーザＵに再生モードの選択を行わせるのである。
【０１６４】
この際の具体的な処理について図１８を参照しつつ説明する。なお、図１８は、メニュー画面が表示された時点においてメディア再生装置ＭＰ-ｋのシステム制御部１０６が実行する処理を示すフローチャートである。
【０１６５】
この処理においてシステム制御部１０６は、まず、メニュー画面表示中に、ユーザＩ／Ｆ部１０３に対して所定の操作が行われたか否かを判定し（ステップＳｇ１）、当該操作が行われるまで、同ステップの処理を繰り返す（「ｎｏ」）。次いで、システム制御部１０６は、ステップＳｇ１において行われた操作が再生モードを選択する旨の操作であるか、広告挿入再生モードを選択する旨の操作であるかを判定する（ステップＳｇ２）。
【０１６６】
この判定において通常再生モードを選択する旨の操作がなされたと判定された場合、システム制御部１０６は、再生モードを通常再生モードへと設定変更する（ステップＳｇ３）。この結果、既に通常再生モードにて再生されていた場合、何ら再生状態に変更が加えられずに現在の再生状態が維持される。一方、既に広告挿入モードにて再生されていた場合、システム制御部１０６は、既に再生された広告情報の再生時間等に基づきユーザＵに付与すべきポイントを算出して、ＩＤカードＣに当該ポイント数を記録する。そして、システム制御部１０６は、当該ポイント数等を管理サーバＣＳにアップロードすると共に、パッケージメディアＭの再生を継続する。
【０１６７】
これに対して、ステップＳｇ２において広告挿入モードが選択されたものと判定した場合、システム制御部１０６は、再生モードを広告挿入再生モードに設定変更するのである。この結果、既に広告挿入再生モードにてパッケージメディアＭの再生が行われていた場合には、システム制御部は、そのままの図１２乃至図１４の処理を継続する。一方、既に通常再生モードにて再生されていた場合、システム制御部１０６は、図１２ステップＳｃ２〜ステップＳｃ６の処理を割り込ませ、管理サーバＣＳから広告情報をダウンロードして広告情報記録部１０５に記録させた後に、上述した図１２乃至図１４のステップＳｃ８〜ステップＳｃ２１の処理を割り込ませる。この結果、広告挿入点において広告情報記録部１０５に記録されている広告情報が再生されることとなるのである。なお、この際に実行される処理については、上述の図１２乃至図１４と同様であるため、詳細は省略する。
【０１６８】
このようにして、本応用例のメディア再生装置ＭＰ-ｋにおいては、スイッチ１０７を介してデコーダ１０８に広告情報が供給されている状態において、ユーザＩ／Ｆ部１０３に対してユーザが所定の入力が行った場合に、システム制御部１０６は、広告情報の再生を中止する構成となっている。すなわち、ユーザＵにより所定の入力操作が行われると、メディア再生装置ＭＰ-ｋにおいては、広告情報の再生が中止される。このため、ユーザＵは、自己の意図に従って、広告情報の再生を中途で中止することが可能となり、もって、ユーザＵの利便性を高めることが可能となる。
【０１６９】
［２．３］変形例３
上記実施形態にかかる広告情報配信システム１は、ＩＤカードＣに広告情報の再生をユーザＵが許容していたパッケージメディアＭに対応するメディアＩＤを記録しておき、パッケージメディアＭの再生時に当該メディアＭに記録されているタイトル名と、ＩＤカードＣに記録されているメディアＩＤ等の情報に基づいて広告情報の再生の可否を判定する構成となっている。
【０１７０】
しかし、ＩＤカードＣに記録すべき情報を管理サーバＣＳ若しくは他のＡＳＰ（Application Service Provider）サーバに保有させ、ネットワーク上の電子認証を利用した仮想カードとして利用することも可能である。この場合、ＩＤカードＣのような物理的なモジュールがユーザＵに配布されることはなく、代わりに当該ユーザＵに対応するユーザＩＤと当該ユーザＵのパスワードが配布される。
【０１７１】
一方、ユーザＵがメディア再生装置ＭＰ-ｋにより、新たに購入したパッケージメディアＭを初めて再生する場合、ユーザＵは、ＩＤカードＣをメディア再生装置ＭＰ-ｋに挿入する代わりに、自己に配布されているユーザＩＤとパスワードをメディア再生装置ＭＰ-ｋのユーザＩ／Ｆ部１０３に入力する。すると、システム制御部１０６は、この入力されたパスワード等のデータを管理サーバＣＳに送信する。
【０１７２】
かかるデータを受信すると管理サーバＣＳのユーザ管理部２１１は、送信されてきたデータに基づいてユーザ認証を行い、認証に成功した場合には、事前に登録されている情報、すなわち、本実施形態においてＩＤカードＣに記録されている情報と同内容の情報をメディア再生装置ＭＰ-ｋに対して返信する。このようにして、返信されてきた情報は、メディア再生装置ＭＰ-ｋの図示せぬメモリに記録される。
【０１７３】
パッケージメディアＭを再生する場合、このメディア再生装置ＭＰ-ｋに記録されている情報に基づいて、再生対象となっているパッケージメディアＭの再生時に広告情報の挿入再生が許容されているか否かを判定し、許容されているものと判定した場合にのみ、再生モードとして広告挿入再生モードに設定するのである。なお、他の動作については、上述の実施形態と同様であるため、説明は省略する。
【図面の簡単な説明】
【０１７４】
【図１】実施形態における広告情報配信システム１の構成を示すブロック図である。
【図２】同実施形態における広告情報配信システム１において実施される広告方法の概要を示す図である。
【図３】同実施形態におけるＩＤカードＣに記録されている情報の一例を示す図である。
【図４】同実施形態におけるメディア再生装置ＭＰ-ｋの構成を示すブロック図である。
【図５】同実施形態における管理サーバＣＳの構成を示すブロック図である。
【図６】同実施形態における広告情報ＤＢ２４の記録内容の一例を示す図である。
【図７】同実施形態におけるユーザ管理テーブルＴＢＬ１の記録内容の一例を示す図である。
【図８】同実施形態における広告登録テーブルＴＢＬ２の記録内容の一例を示す図である。
【図９】同実施形態におけるメディア再生装置ＭＰ-ｋのシステム制御部１０６の実行する処理を示すフローチャートである。
【図１０】同実施形態におけるメディア再生装置ＭＰ-ｋのシステム制御部１０６が実行する再生モード決定処理の処理内容を示すフローチャートである。
【図１１】同実施形態におけるメディア再生装置ＭＰ-ｋのシステム制御部１０６が実行する再生モード決定処理の処理内容を示すフローチャートである。
【図１２】同実施形態におけるメディア再生装置ＭＰ-ｋのシステム制御部１０６が実行するパッケージメディア再生処理の処理内容を示すフローチャートである。
【図１３】同実施形態におけるメディア再生装置ＭＰ-ｋのシステム制御部１０６が実行するパッケージメディア再生処理の処理内容を示すフローチャートである。
【図１４】同実施形態におけるメディア再生装置ＭＰ-ｋのシステム制御部１０６が実行するパッケージメディア再生処理の処理内容を示すフローチャートである。
【図１５】同実施形態における販売店端末ＳＴ-ｌにおいて実行される処理を示すフローチャートである。
【図１６】変形例１におけるメディア再生装置ＭＰ-ｋのシステム制御部１０６が実行する通信速度算出処理の処理内容を示すフローチャートである。
【図１７】同変形例１における管理サーバＣＳの広告情報配信部２１２が実行する量削減処理の処理内容を示すフローチャートである。
【図１８】変形例２におけるメディア再生装置ＭＰ-ｋのシステム制御部１０６が実行する処理を示すフローチャートである。
【符号の説明】
【０１７５】
ＭＰ-ｋ・・・メディア再生装置
１０１・・・リーダ・ライタ
１０２・・・ネットワークＩ／Ｆ部
１０３・・・ユーザＩ／Ｆ部
１０４・・・メディアドライブ
１０５・・・広告情報記録部
１０６・・・システム制御部
１０７・・・スイッチ
１０８・・・デコーダ
１０９・・・データバス
ＣＳ・・・管理サーバ
２１・・・システム制御部
２２・・・ネットワークＩ／Ｆ部
２３・・・テーブル記録部
２４・・・広告情報ＤＢ
ＳＴ-ｌ・・・販売店端末
ＩＳＮ・・・公衆デジタル網
【図１】
2005176240.tif 000003
【図２】
2005176240.tif 000004
【図３】
2005176240.tif 000005
【図４】
2005176240.tif 000006
【図５】
2005176240.tif 000007
【図６】
2005176240.tif 000008
【図７】
2005176240.tif 000009
【図８】
2005176240.tif 000010
【図９】
2005176240.tif 000011
【図１０】
2005176240.tif 000012
【図１１】
2005176240.tif 000013
【図１２】
2005176240.tif 000014
【図１３】
2005176240.tif 000015
【図１４】
2005176240.tif 000016
【図１５】
2005176240.tif 000017
【図１６】
2005176240.tif 000018
【図１７】
2005176240.tif 000019
【図１８】
2005176240.tif 000020